(57)【要約】【課題】利便性が高いリモコンを提供する。【解決手段】リモコン１０は、無線通信により端末装置３０から操作可能な照明器具２０を操作するリモコン１０であって、ユーザからの操作を受け付ける取得部１１と、無線通信をする通信部１４と、取得部１１が受け付けた操作に応じた制御信号であり、端末装置３０に固有の識別情報を送信元アドレスとして含む制御信号を生成し、生成した制御信号を、通信部１４を介して照明器具２０に送信する制御部１２とを備える。【選択図】図１
2018133210.tif 000002
【特許請求の範囲】
【請求項１】
無線通信により端末装置から操作可能な照明器具を操作するリモコンであって、
ユーザからの操作を受け付ける取得部と、
無線通信をする通信部と、
前記取得部が受け付けた前記操作に応じた制御信号であり、前記端末装置に固有の識別情報を送信元アドレスとして含む制御信号を生成し、生成した前記制御信号を、前記通信部を介して前記照明器具に送信する制御部とを備える
リモコン。
【請求項２】
請求項１に記載のリモコンと、
前記リモコンにより操作され、空間を照らす照明器具と、
無線通信により前記照明器具を操作する端末装置とを備え、
前記照明器具は、前記リモコンから前記制御信号を受信すると、前記制御信号を受信したことを示す信号を、前記送信元アドレスが示す前記端末装置に送信する通信部を有する
照明システム。
【請求項３】
前記照明器具は、さらに、商用電源からの電力供給を受けたことを検知する通電検知部を有し、
前記通信部は、前記通電検知部が前記電力供給を受けたことを検知した場合に、前記電力供給を受けたことを示す信号を前記端末装置に送信する
請求項２に記載の照明システム。
【請求項４】
無線通信により端末装置から操作可能な照明器具であって、
光源と、
商用電源からの電力供給を受けたことを検知する通電検知部と、
前記通電検知部が前記電力供給を受けたことを検知した場合に、前記電力供給を受けたことを示す信号を前記端末装置に送信する通信部とを備える
照明器具。
【発明の詳細な説明】
【技術分野】
【０００１】
本発明は、リモコン、当該リモコンを備える照明システム、及び、照明器具に関する。
【背景技術】
【０００２】
従来、無線通信機能を有する照明器具が知られている。無線通信機能を有する照明器具は、無線通信用のアンテナを備え、当該アンテナが受信した無線信号（制御信号）に応じた処理を行う（例えば、特許文献１参照）。
【先行技術文献】
【特許文献】
【０００３】
【特許文献１】特開２０１３−１４５６３４号公報
【発明の概要】
【発明が解決しようとする課題】
【０００４】
ところで、スマートフォン又はタブレットなどの端末装置から無線通信により照明器具を操作することが行われている。ユーザは、リモコン（遠隔操作装置）又は端末装置を操作することにより、照明器具を所望の点灯状態に変更することができる。
【０００５】
しかしながら、従来では、リモコンを介して照明器具を操作する場合、制御信号は照明器具に対してのみ送信されるので、照明器具の現在の点灯状態と、端末装置を立ち上げた際のアプリケーション上での照明器具の点灯状態とが一致しない場合がある。また、屋内の壁などに配置されている壁スイッチを用いて照明器具を点灯させた場合も同様である。そのため、端末装置を用いて照明器具の点灯状態を変更する場合、まずユーザは端末装置を操作して照明器具から現在の点灯状態に関する情報を取得する必要があった。
【０００６】
そこで、本発明は、このような課題に鑑みてなされたものであり、利便性を高めたリモコン、当該リモコンを備える照明システム、及び、照明器具を提供することを目的とする。
【課題を解決するための手段】
【０００７】
上記目的を達成するために、本発明の一態様に係るリモコンは、無線通信により端末装置から操作可能な照明器具を操作するリモコンであって、ユーザからの操作を受け付ける取得部と、無線通信をする通信部と、前記取得部が受け付けた前記操作に応じた制御信号であり、前記端末装置に固有の識別情報を送信元アドレスとして含む制御信号を生成し、生成した前記制御信号を、前記通信部を介して前記照明器具に送信する制御部とを備える。
【０００８】
上記目的を達成するために、本発明の一態様に係る照明システムは、上記に記載のリモコンと、前記リモコンにより操作され、空間を照らす照明器具と、無線通信により前記照明器具を操作する端末装置とを備え、前記照明器具は、前記リモコンから前記制御信号を受信すると、前記制御信号を受信したことを示す信号を、前記送信元アドレスが示す前記端末装置に送信する通信部を有する。
【０００９】
上記目的を達成するために、本発明の一態様に係る照明器具は、無線通信により端末装置から操作可能な照明器具であって、光源と、商用電源からの電力供給を受けたことを検知する通電検知部と、前記通電検知部が前記電力供給を受けたことを検知した場合に、前記電力供給を受けたことを示す信号を前記端末装置に送信する通信部とを備える。
【発明の効果】
【００１０】
本発明の一態様に係るリモコン、当該リモコンを備える照明システム、及び、照明器具によれば、利便性を高めることができる。
【図面の簡単な説明】
【００１１】
【図１】実施の形態１に係る照明システムの全体構成を示すブロック図である。
【図２】実施の形態１に係る制御信号及び応答信号のデータ構成を説明するための模式図である。
【図３】実施の形態１に係る照明システムの動作を示すシーケンス図である。
【図４】実施の形態１に係る照明システムのアソシエーションを説明するための模式図である。
【図５】実施の形態２に係る照明システムの全体構成を示すブロック図である。
【図６】実施の形態２に係る照明システムの動作を示すフローチャートである。
【発明を実施するための形態】
【００１２】
以下では、本発明の実施の形態について、図面を用いて詳細に説明する。以下に説明する実施の形態は、いずれも本発明の一具体例を示すものである。したがって、以下の実施の形態で示される数値、形状、材料、構成要素、構成要素の配置、構成要素の接続形態、ステップ、及び、ステップの順序などは、一例であり、本発明を限定する主旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。なお、各図において、実質的に同一の構成に対しては同一の符号を付しており、重複する説明は省略又は簡略化される場合がある。
【００１４】
（実施の形態１）
以下、本実施の形態に係る照明器具を含む照明システムについて、図１〜図４を参照しながら説明する。本実施の形態では、屋内に設置された複数の照明器具を、リモコン（遠隔操作装置）を用いて制御する場合について説明する。
【００１５】
［１．照明システムの構成］
まず、本実施の形態に係る照明システム１について、図１を参照しながら説明する。図１は、本実施の形態に係る照明システム１の全体構成を示すブロック図である。
【００１６】
本実施の形態に係る照明システム１は、リモコン１０、照明器具２０及び端末装置３０を備える。リモコン１０、照明器具２０及び端末装置３０は、それぞれ無線通信機能を有しており、照明器具２０は、リモコン１０又は端末装置３０からの制御信号に基づいて点灯状態を変更する。なお、図１では、照明器具が１台である例を示しているが、照明システム１が備える照明器具の数は特に限定されず、２台以上であってもよい。また、無線通信とは、一例として、Ｂｌｕｅｔｏｏｔｈ（登録商標）の通信規格を用いた無線通信であるが、Ｂｌｕｅｔｏｏｔｈ（登録商標）の通信規格に限定されず、無線ＬＡＮ（例えば、Ｗｉ−Ｆｉ（登録商標））などの通信規格を用いた無線通信であってもよい。
【００１７】
［１−１．リモコン］
まず、リモコン１０について説明する。リモコン１０は、照明システム１が備える照明器具２０を操作するための専用のコントローラ端末である。図１に示すように、リモコン１０は、取得部１１、制御部１２、記憶部１３及び通信部１４を有する。
【００１８】
取得部１１は、ユーザからの照明器具２０の点灯状態の変更を受け付けるユーザインターフェースであり、例えば押しボタン（図４を参照）などである。例えば、取得部１１は、照明器具２０の点灯状態に対応する複数の押しボタンを有している。そして、ユーザが意図する点灯状態に対応する押しボタンを押すことで、リモコン１０から当該押しボタンに対応する制御信号が照明器具２０に送信される。
【００１９】
なお、取得部１１は押しボタンに限定されない。ユーザからの操作を取得できればよく、例えば、タッチパネルなどであってもよい。その場合、リモコン１０は点灯状態などを表示するための表示部を備えていてもよい。
【００２０】
ここで、点灯状態とは、照明器具が照明光を発することである点灯、照明光を発しないことである消灯、点灯と消灯とを繰り返す点滅、照明光の強度を変更又は調整することである調光、及び、照明光の色合いを変更又は調整することである調色などを含む。
【００２１】
制御部１２は、取得部１１が受け付けた操作に応じて、リモコン１０が有する各構成部を制御する制御装置である。例えば、取得部１１が受け付けた操作（例えば、ユーザが意図する点灯状態への変更）を取得し、取得した操作に対応する制御信号を生成し、生成した制御信号（図１中のＷ１）を通信部１４を介して照明器具２０に送信する。制御信号Ｗ１には、送信元アドレスが含まれる。制御部１２は、送信元アドレスとして、リモコン１０に固有の識別情報（例えば、デバイスＩＤ）ではなく、端末装置３０に固有の識別情報（例えば、デバイスＩＤ）を含む制御信号Ｗ１を生成する。本実施の形態に係るリモコン１０は、制御信号に含まれる送信元アドレスに端末装置３０の識別情報を用いる点に特徴を有する。なお、端末装置３０に固有の識別情報は、例えば、予め記憶部１３に記憶されており、制御部１２は記憶部１３から端末装置３０の識別情報を取得する。
【００２２】
制御部１２は、記憶部１３に記憶された制御プログラムを実行するプロセッサであるが、マイクロコンピュータ、または専用回路などにより実現されてもよい。
【００２３】
記憶部１３は、制御部１２が実行する制御プログラムなどが記憶される記憶装置である。また、記憶部１３は、照明器具２０及び端末装置３０の識別情報も記憶している。例えば、記憶部１３は、フラッシュメモリ又は半導体メモリなどにより実現される。
【００２４】
通信部１４は、リモコン１０が照明器具２０と無線通信するための無線通信インターフェースである。通信部１４は、無線通信の通信相手装置（例えば、照明器具２０）との間で無線通信接続を確立したうえで、通信相手装置と無線通信を行う。本実施の形態では、通信部１４は、照明器具２０との無線通信接続を確立する。また、本実施の形態では、Ｂｌｕｅｔｏｏｔｈ（登録商標）の通信規格を用いた無線通信を行っており、通信部１４はＢｌｕｅｔｏｏｔｈ（登録商標）の通信規格に対応した通信モジュール（通信回路）である。
【００２５】
［１−２．照明器具］
次に、照明器具２０について説明する。照明器具２０は、屋内に設置され、設置された空間を照らす屋内用の照明装置である。照明器具２０は、電力が供給され、供給された電力により点灯することで、照明器具２０が設置された空間を照明する。照明器具２０は、例えば、シーリングライト、スポットライト又はペンダントライトなどである。照明システム１は、複数の照明器具を備えていてもよく、その場合、複数の照明器具はそれぞれ同じ種類のライトであってもよいし、異なる種類のライトであってもよい。なお、照明器具２０は、リモコン１０又は端末装置３０により無線通信を用いて点灯状態を制御される。
【００２６】
図１に示すように、照明器具２０は、通信部２１、制御部２２、光源部２３及び記憶部２４を有する。なお、図１では、商用電源及び照明器具２０が有する電源回路（例えば、交流電力を直流電力に変換する回路）などは省略している。
【００２７】
通信部２１は、照明器具２０がリモコン１０及び端末装置３０と無線通信するための無線通信インターフェースである。通信部２１は、無線通信の通信相手装置（例えば、リモコン１０及び端末装置３０）との間で無線通信接続を確立したうえで、通信相手装置と無線通信を行う。本実施の形態では、通信部２１は、リモコン１０及び端末装置３０との無線通信接続を確立する。また、本実施の形態では、Ｂｌｕｅｔｏｏｔｈ（登録商標）の通信規格を用いた無線通信を行っており、通信部２１はＢｌｕｅｔｏｏｔｈ（登録商標）の通信規格に対応した通信モジュール（通信回路）である。
【００２８】
制御部２２は、照明器具２０が有する各構成部を制御する制御装置である。例えば、制御部２２は、通信部２１を介してリモコン１０から送信された制御信号Ｗ１を受信し、受信した制御信号Ｗ１に基づいて光源部２３の点灯状態を制御する。また、制御部２２は、リモコン１０から受信した制御信号Ｗ１に含まれる送信元アドレスに対して、当該制御信号Ｗ１を受信したことを示す信号（以降、応答信号Ｗ２と記載する）を送信する。本実施の形態では、制御部２２は、端末装置３０の識別情報を送信元アドレスとして含んだ制御信号Ｗ１を受信するので、端末装置３０に対して応答信号Ｗ２を送信する。なお、制御信号Ｗ１及び応答信号Ｗ２の詳細は、後述する。
【００２９】
制御部２２は、記憶部２４に記憶された制御プログラムを実行するプロセッサであるが、マイクロコンピュータ、または専用回路などにより実現されてもよい。なお、制御部２２が調光機能に対応している場合、制御部２２は、調光制御回路（例えば、ＰＷＭ（Ｐｕｌｓｅ  Ｗｉｄｔｈ  Ｍｏｄｕｌａｔｉｏｎ）回路など）を含む。つまり、制御部２２の態様は特に限定されない。
【００３０】
光源部２３は、照明光を発する光源である。光源部２３は、ＬＥＤ（Ｌｉｇｈｔ  Ｅｍｉｔｔｉｎｇ  Ｄｉｏｄｅ）などにより実現されるが、白熱電球又は蛍光灯などにより実現されてもよい。または、半導体レーザ、有機ＥＬ（Ｅｌｅｃｔｒｏ  Ｌｕｍｉｎｅｓｃｅｎｃｅ）、無機ＥＬなどにより実現されてもよい。
【００３１】
記憶部２４は、制御部２２が実行する制御プログラムなどが記憶される記憶装置である。また、記憶部２４には、リモコン１０及び端末装置３０の識別情報も記憶されている。例えば、記憶部２４は、フラッシュメモリ又は半導体メモリなどにより実現される。
【００３２】
なお、照明システム１は照明器具２０を含む複数の照明器具を備えており、複数の照明器具はマルチホップ通信を行ってもよい。具体的には、照明器具２０は、リモコン１０からの制御信号Ｗ１を通信部２１を介して受信すると、当該制御信号Ｗ１をリモコン１０から制御信号Ｗ１を受信していない他の照明器具（図示しない）に通信部２１を介して送信する。例えば、記憶部２４は送信するための情報である経路情報を記憶しており、制御部２２は当該経路情報に基づいて制御信号を他の照明器具に送信してもよい。その際、照明器具２０が送信する制御信号に含まれる送信元アドレスには、端末装置３０の識別情報が用いられる。言い換えると、マルチホップ通信を行う場合、複数の照明器具の全ては、送信元アドレスとして端末装置３０の識別情報を含む制御信号を受信する。
【００３３】
［１−３．端末装置］
次に、端末装置３０について説明する。端末装置３０は、無線通信により照明器具２０の点灯状態を操作する操作端末である。本実施の形態では、端末装置３０は、無線通信により照明器具２０と直接無線通信する。
【００３４】
端末装置３０は、例えば、スマートフォンつまり高機能携帯電話端末、携帯電話端末、タブレット端末、又はＰＣ（Ｐｅｒｓｏｎａｌ  Ｃｏｍｐｕｔｅｒ）等により実現される。なお、本実施の形態では、端末装置３０はスマートフォンである。スマートフォンである場合、専用のアプリケーションをダウンロードし、照明器具との操作に関する初期設定を行うことで、当該照明器具をスマートフォンから操作可能となる。
【００３５】
図１に示すように、端末装置３０は、通信部３１、制御部３２、記憶部３３、取得部３４及び表示部３５を有する。
【００３６】
通信部３１は、端末装置３０が照明器具２０と無線通信するための無線通信インターフェースである。通信部３１は、無線通信の通信相手装置（例えば、照明器具２０）との間で無線通信接続を確立したうえで、通信相手装置と無線通信を行う。本実施の形態では、通信部３１は、照明器具２０との無線通信接続を確立する。また、本実施の形態では、Ｂｌｕｅｔｏｏｔｈ（登録商標）の通信規格を用いた無線通信を行っており、通信部３１はＢｌｕｅｔｏｏｔｈ（登録商標）の通信規格に対応した通信モジュール（通信回路）である。
【００３７】
制御部３２は、端末装置３０が有する各構成部を制御する制御装置である。例えば、制御部３２は、照明器具２０から送信された応答信号Ｗ２を通信部３１を介して受信し、受信した応答信号Ｗ２に基づいて端末装置３０が記憶している照明器具２０の点灯状態を更新する。また、制御部３２は、端末装置３０が有する取得部３４（例えば、タッチパネルなど）を介してユーザから照明器具２０の点灯状態の変更を受け付けると、当該変更に応じた制御信号を生成し、生成した制御信号を通信部３１を介して照明器具２０に送信する。
【００３８】
制御部３２は、記憶部３３に記憶された制御プログラムを実行するプロセッサであるが、マイクロコンピュータ、または専用回路などにより実現されてもよい。
【００３９】
なお、制御部３２は、照明器具２０から応答信号Ｗ２を受信すると、表示部３５に当該応答信号Ｗ２に応じたメッセージを表示してもよい。例えば、照明器具２０が消灯された情報を含む応答信号Ｗ２を受信した場合、制御部３２は、「照明器具が消灯されました」などのメッセージを表示部３５に表示させてもよい。
【００４０】
記憶部３３は、制御部３２が実行する制御プログラムなどが記憶される記憶装置である。また、記憶部３３は、リモコン１０及び照明器具２０の識別情報も記憶している。例えば、記憶部３３は、フラッシュメモリ又は半導体メモリなどにより実現される。
【００４１】
取得部３４は、ユーザからの照明器具２０の点灯状態に対する操作（指示）を受け付けるユーザインターフェースであり、例えばタッチパネル（図４を参照）などである。取得部３４がタッチパネルである場合、表示部３５（例えば、液晶ディスプレイ）に接着されて構成される。ユーザは表示部３５に表示された複数の点灯状態（例えば、点灯する又は消灯するなど）の中から意図する点灯状態が表示されている位置をタッチすることで、取得部３４はユーザからの指示を取得する。なお、例えば、取得部３４はタッチパネルに限定されず、押しボタン又はキーボードなどでもよい。
【００４２】
表示部３５は、照明器具２０を制御するための情報を表示する又は照明器具２０から制御信号を受信したことを表示するための表示デバイスであり、例えば、液晶ディスプレイなどである。なお、照明器具２０を制御するための情報には、照明器具２０の現在の点灯状態に関する情報が含まれる。
【００４３】
ここで、制御信号Ｗ１及び応答信号Ｗ２のデータ構成について、図２を参照しながら説明する。図２は、本実施の形態に係る制御信号Ｗ１及び応答信号Ｗ２のデータ構成を説明するための模式図である。具体的には、図２の（ａ）は制御信号Ｗ１のデータ構成を示しており、図２の（ｂ）は応答信号Ｗ２のデータ構成を示している。
【００４４】
図２の（ａ）及び図２の（ｂ）に示すように、制御信号Ｗ１及び応答信号Ｗ２には、送信元アドレス、送信先アドレス及び照明器具２０の制御情報が含まれる。
【００４５】
図２の（ａ）に示すように、リモコン１０から照明器具２０に送信される制御信号Ｗ１には、送信元アドレスとして端末装置３０のデバイスＩＤ、送信先アドレスとして照明器具２０のデバイスＩＤが含まれる。制御信号Ｗ１に、送信元アドレスとして端末装置３０のデバイスＩＤが含まれていることに特徴を有する。当該制御信号Ｗ１を受信した照明器具２０（制御部２２）は、制御信号Ｗ１が端末装置３０から送信された信号であると判定する。そして、送信元であると判定した端末装置３０に対して、図２の（ｂ）に示す応答信号Ｗ２を送信する。また、制御情報とは、ユーザからの指示を示す情報であり、例えば、点灯する及び消灯するなどの指示を示す情報である。
【００４６】
図２の（ｂ）に示すように、照明器具２０から端末装置３０に送信される応答信号Ｗ２には、送信元アドレスとして照明器具２０のデバイスＩＤ、送信先アドレスとして端末装置３０のデバイスＩＤが含まれる。また、応答情報とは、制御情報に応じて点灯状態を変更する応答を示す情報であり、例えば、点灯します及び消灯しますなどの照明器具２０の状態を示す情報である。
【００４７】
応答信号Ｗ２を受信した端末装置３０は、応答信号Ｗ２に含まれる照明器具２０の応答情報から、現在の照明器具２０の点灯状態を取得することができる。
【００４８】
［２．照明システムの動作］
続いて、照明システム１の動作について、図３を参照しながら説明する。図３は、本実施の形態に係る照明システム１の動作を示すシーケンス図である。なお、図３では、リモコン１０から制御信号を送信する（言い換えると、ユーザがリモコン１０を用いて照明器具の点灯状態を変更する）例について説明する。また、詳細は後述するが、リモコン１０、照明器具２０、及び、端末装置３０は、アソシエーション（接続設定）時にそれぞれの識別情報を取得している。つまり、リモコン１０は、照明器具２０及び端末装置３０の識別情報を記憶しており、照明器具２０はリモコン１０及び端末装置３０の識別情報を記憶しており、端末装置３０はリモコン１０及び照明器具２０の識別情報を記憶している。そのため、リモコン１０、照明器具２０、及び、端末装置３０は、それぞれ無線通信を行うことができる。
【００４９】
まず、リモコン１０はユーザからの操作を受け付ける（Ｓ１０）。具体的には、リモコン１０は取得部１１を介してユーザからの照明器具２０に対する操作（指示）を受け付ける。ユーザからの操作を受け付けると、制御部１２は、端末装置３０に固有の識別情報（例えば、デバイスＩＤ）を取得する（Ｓ１１）。例えば、制御部１２は、記憶部１３に記憶されている端末装置３０の識別情報を読み出すことで、端末装置３０の識別情報を取得する。制御部１２は、端末装置３０の識別情報を取得すると、取得した識別情報を送信元アドレスとして含む制御信号Ｗ１を生成する（Ｓ１２）。具体的には、端末装置３０の識別情報と、取得部１１を介して取得したユーザからの操作とから、照明器具２０を制御するための制御信号Ｗ１を生成する。例えば、ステップＳ１２で生成される制御信号Ｗ１のデータ構造は、図２の（ａ）に示すデータ構造となる。そして、制御部１２は、生成した制御信号Ｗ１を、通信部１４を介して照明器具２０に送信する（Ｓ１３）。なお、リモコン１０が送信した制御信号Ｗ１は、照明器具２０のみに送信され、端末装置３０には送信されない。これにより、リモコン１０で消費される電力を抑えることができる。
【００５０】
照明器具２０は、リモコン１０が送信した制御信号Ｗ１を、通信部２１を介して受信する（Ｓ１４）。制御部２２は、受信した制御信号Ｗ１から制御信号Ｗ１の送信元を特定する（Ｓ１５）。具体的には、制御部２２は受信した制御信号Ｗ１に含まれる送信元アドレスから送信元を特定する。本実施の形態では、端末装置３０が送信元となる。そして、制御部２２は、制御信号Ｗ１を受信したことを示す情報である応答信号Ｗ２を生成する。応答信号Ｗ２に含まれる送信先アドレスには、受信した制御信号Ｗ１に含まれる送信元アドレスが用いられる。つまり、応答信号Ｗ２の送信先は端末装置３０となる。また、応答信号Ｗ２の送信元アドレスには照明器具２０の識別情報が用いられる。応答信号Ｗ２に含まれる応答情報は、照明器具２０の点灯状態を示す情報である。
【００５１】
制御部２２は、制御信号Ｗ１に含まれる送信元アドレスが示す端末装置３０に生成した応答信号Ｗ２を送信する（Ｓ１６）。そして、制御部２２は、応答信号Ｗ２を送信した後、制御信号Ｗ１に含まれる制御情報に基づいて照明器具２０の点灯状態を変更する（Ｓ１７）。具体的には、制御部２２は、受信した制御情報に基づいて光源部２３に供給する電力（例えば、電流量）を調整することで、点灯状態を変更する。
【００５２】
なお、上記では、制御部２２は、制御信号Ｗ１を受信すると、制御信号Ｗ１に含まれる制御情報に基づいて照明器具２０の点灯状態を制御するよりも前に、端末装置３０に応答信号Ｗ２を送信している。これにより、端末装置３０での照明器具２０の点灯状態の更新をスムーズに行うことができる。
【００５３】
端末装置３０は、照明器具２０から送信された応答信号Ｗ２を通信部３１を介して受信する（Ｓ１８）。そして、制御部３２は、端末装置３０が記憶している照明器具２０の点灯状態を、受信した応答信号Ｗ２に基づいて更新する（Ｓ１９）。これにより、端末装置３０が記憶している照明器具２０の点灯状態は、リモコン１０から信号を受信しなくても、逐次更新される。
【００５４】
なお、従来ではリモコンを用いて照明器具の点灯状態を制御する場合、端末装置には照明器具の点灯状態が変更された情報は通知されていなかった。そのため、ユーザは、端末装置を用いて照明器具の点灯状態を変更する場合、まず端末装置を操作して、現在の照明器具の点灯状態を取得する必要があり、この作業が手間であった。一方、本実施の形態に係る照明システム１では、ユーザはリモコン１０を操作するだけで、端末装置３０に記憶されている照明器具２０の点灯状態を更新することができる。
【００５５】
ここで、リモコン１０、照明器具２０、及び、端末装置３０が行うアソシエーション（ペアリング）について、図４を参照しながら説明する。図４は、本実施の形態に係る照明システム１のアソシエーションを説明するための模式図である。なお、図４では、照明器具２０は天井４０に取り付けられたシーリングライトである例について示している。
【００５６】
まず、照明器具２０と端末装置３０とのアソシエーションについて説明する。照明器具２０と端末装置３０とのアソシエーションとは、照明器具２０と端末装置３０とが暗号通信できるようにすることを示す。具体的には、照明器具２０と端末装置３０とは、共通の暗号化キー（ネットワークキー）を交換する。これにより、例えば端末装置３０が暗号化された制御信号を照明器具２０に送信すると、照明器具２０は受信した暗号化された制御信号を復号することができる。つまり、照明器具２０と端末装置３０とは、暗号通信を行うことができる。暗号通信ができる状態となった後、相互に識別情報を交換することで、端末装置３０は照明器具２０の識別情報を、照明器具２０は端末装置３０の識別情報を取得する。
【００５７】
なお、リモコン１０と端末装置３０とのアソシエーションも、同様に行われる。つまり、端末装置３０は、リモコン１０及び照明器具２０と暗号通信ができるようになり、かつそれぞれの機器の識別情報を取得する。なお、リモコン１０は、端末装置３０から照明器具２０の識別情報を取得し、照明器具２０は、端末装置３０からリモコン１０の識別情報を取得する。これにより、リモコン１０、照明器具２０及び端末装置３０は、それぞれ暗号通信ができるようになり、かつそれぞれの識別情報を取得することができる。例えば、取得した識別情報は、それぞれの機器が有する記憶部に記憶される。
【００５８】
［３．効果］
次に、本実施の形態に係るリモコン１０、及び当該リモコン１０を有する照明システム１の効果について説明する。
【００５９】
本実施の形態に係るリモコン１０は、無線通信により端末装置３０から操作可能な照明器具２０を操作するリモコン１０であって、ユーザからの操作を受け付ける取得部１１と、無線通信をする通信部１４と、取得部１１が受け付けた操作に応じた制御信号Ｗ１であり、端末装置３０に固有の識別情報を送信元アドレスとして含む制御信号Ｗ１を生成し、生成した制御信号Ｗ１を、通信部１４を介して照明器具２０に送信する制御部１２とを備える。
【００６０】
これにより、照明器具２０は、リモコン１０から端末装置３０を送信元アドレスとして含む制御信号Ｗ１を受信する。そして、照明器具２０は、リモコン１０から受信した制御信号Ｗ１に含まれる送信元アドレスが示す端末装置３０に、当該制御信号Ｗ１を受信したことを示す信号（例えば、応答信号Ｗ２）を送信する。端末装置３０は、当該応答信号Ｗ２を受信することで、端末装置３０に記憶されている照明器具２０の点灯状態を更新することができる。つまり、ユーザはリモコン１０を操作するだけで、端末装置３０に記憶されている照明器具２０の点灯状態を更新することができる。よって、ユーザは端末装置３０を操作して照明器具２０の点灯状態を更新する手間が省けるので、端末装置３０を用いて照明器具２０を制御する場合の利便性が向上する。
【００６１】
また、本実施の形態に係る照明システム１は、リモコン１０と、リモコン１０により操作され、空間を照らす照明器具２０と、無線通信により照明器具２０を操作する端末装置３０とを備える。照明器具２０は、リモコン１０から制御信号Ｗ１を受信すると、制御信号Ｗ１を受信したことを示す信号を、送信元アドレスが示す端末装置３０に送信する通信部２１を有する。
【００６２】
これにより、照明器具２０は、リモコン１０から受信した制御信号Ｗ１に含まれる送信元アドレスが示す端末装置３０に、当該制御信号Ｗ１を受信したことを示す信号（例えば、応答信号Ｗ２）を送信する。端末装置３０は、当該応答信号Ｗ２を受信することで、端末装置３０に記憶されている照明器具２０の点灯状態を更新することができる。つまり、ユーザはリモコン１０を操作するだけで、端末装置３０に記憶されている照明器具２０の点灯状態を更新することができる。よって、ユーザは端末装置３０を操作して照明器具２０の点灯状態を更新する手間が省けるので、端末装置３０を用いて照明器具２０を制御する場合の利便性が向上する。
【００６３】
（実施の形態２）
以下、本実施の形態に係る照明システムについて、図５及び図６を参照しながら説明する。本実施の形態では、屋内に設置された照明器具を造営材に設置されたスイッチ部を用いて制御する場合について説明する。
【００６４】
まず、本実施の形態に係る照明システム２について、図５を参照しながら説明する。図５は、本実施の形態に係る照明システム２の全体構成を示すブロック図である。
【００６５】
本実施の形態に係る照明システム２は、照明器具１００、端末装置２００及びスイッチ部３００を備える。照明器具１００及び端末装置２００は、それぞれ無線通信機能を有しており、照明器具１００と端末装置２００とは無線通信をする。例えば、照明器具１００と端末装置２００とは上記で説明したアソシエーションが行われた機器である。
【００６６】
なお、図５では、照明器具が１台である例を示しているが、照明システム２が備える照明器具の数は特に限定されず、２台以上であってもよい。また、無線通信とは、一例として、Ｂｌｕｅｔｏｏｔｈ（登録商標）の通信規格を用いた無線通信であるが、Ｂｌｕｅｔｏｏｔｈ（登録商標）の通信規格に限定されず、無線ＬＡＮ（例えば、Ｗｉ−Ｆｉ（登録商標））などの通信規格を用いた無線通信であってもよい。
【００６７】
照明器具１００は、屋内に設置され、設置された空間を照らす屋内用の照明器具である。照明器具１００は、電力が供給され、供給された電力により点灯することで、照明器具１００が設置された空間を照明する。照明器具１００は、例えば、シーリングライト、スポットライト又はペンダントライトなどである。なお、実施の形態１に係る照明器具２０とは、主に照明器具１００が通電検知部１２０ａを有している点が異なる。照明器具２０と同一の構成については、説明を省略又は簡略化する場合がある。
【００６８】
図５に示すように、照明器具１００は、電源回路１１０、制御部１２０、記憶部１３０、光源部１４０、及び、通信部１５０を有する。なお、照明器具１００は、スイッチ部３００を介して商用電源４００から電力供給される。詳細は後述するが、スイッチ部３００は、商用電源４００から照明器具１００への電力供給のオンオフを切り替えるスイッチである。
【００６９】
電源回路１１０は、商用電源４００などから供給される交流電力を直流電力に変換する電力変換部である。例えば、フィルタ回路及びブリッジ型全波整流回路などから構成される。
【００７０】
制御部１２０は、電源回路１１０を介して商用電源４００からの電力供給を受けて、各構成部を制御する制御装置である。例えば、制御部１２０は、商用電源４００からの電力供給を受け、光源部１４０の点灯状態を制御する。または、端末装置２００からの制御信号を通信部１５０を介して受信すると、受信した制御信号に基づいて光源部１４０の点灯状態を制御する。
【００７１】
制御部１２０は、記憶部１３０に記憶された制御プログラムを実行するプロセッサであるが、マイクロコンピュータ、または専用回路などにより実現されてもよい。なお、制御部１２０が調光機能に対応している場合、制御部１２０は、調光制御回路（例えば、ＰＷＭ（Ｐｕｌｓｅ  Ｗｉｄｔｈ  Ｍｏｄｕｌａｔｉｏｎ）回路など）を含む。つまり、制御部１２０の態様は特に限定されない。
【００７２】
また、制御部１２０は、商用電源４００からの電力供給を受けたことを検知する通電検知部１２０ａを有する。例えば、通電検知部１２０ａは、制御部１２０が商用電源４００から電力供給を受けて動作したことを検知することで、照明器具１００が商用電源４００からの電力供給を受けたと検知する。なお、通電検知部１２０ａは、電源回路１１０が有していてもよく、スイッチ部３００がオンされる（商用電源４００と照明器具１００とが導通する）ことで、商用電源４００からの電力供給を検知できればよい。
【００７３】
記憶部１３０は、制御部１２０が実行する制御プログラム及び端末装置２００に固有の識別情報などが記憶される記憶装置である。例えば、記憶部１３０は、フラッシュメモリ又は半導体メモリなどにより実現される。なお、照明システム２が照明器具１００を操作するためのリモコンを備えている場合、記憶部１３０は、当該リモコンに固有の識別情報も記憶している。
【００７４】
光源部１４０は、実施の形態１に係る照明器具２０が備える光源部２３と同一の構成であり、説明を省略する。
【００７５】
通信部１５０は、照明器具１００が端末装置２００と無線通信するための無線通信インターフェースである。本実施の形態では、Ｂｌｕｅｔｏｏｔｈ（登録商標）の通信規格を用いた無線通信を行っており、通信部１５０はＢｌｕｅｔｏｏｔｈ（登録商標）の通信規格に対応した通信モジュール（通信回路）である。また、通信部１５０は、通電検知部１２０ａが電力供給を受けたことを検知した場合に、電力供給を受けたことを示す信号（以降、状態信号と記載する）を端末装置２００に送信する。言い換えると、通電検知部１２０ａが電力供給を受けたことを検知した場合に、制御部１２０は状態信号を生成し、生成した状態信号を通信部１５０を介して端末装置２００に送信する。なお、通信部１５０は、リモコンからの制御信号も受信する。
【００７６】
端末装置２００は、無線通信により照明器具１００を操作可能な端末であり、例えば、スマートフォンつまり高機能携帯電話端末、携帯電話端末、タブレット端末、又はＰＣ（Ｐｅｒｓｏｎａｌ  Ｃｏｍｐｕｔｅｒ）等により実現される。なお、本実施の形態では、端末装置２００はスマートフォンである。また、端末装置２００は、照明器具１００から送信された状態信号を受信する。そして、受信した状態信号から端末装置２００が記憶している照明器具１００の点灯状態を更新する。なお、端末装置２００の構成は、実施の形態１に係る端末装置３０と同一であってもよい。
【００７７】
スイッチ部３００は、商用電源４００と照明器具１００との間であって、照明器具１００と離間して配置され、商用電源４００から照明器具１００への電力供給を遠隔操作するためのスイッチである。スイッチ部３００は、一端が配線を介して商用電源４００に電気的に接続され、他端が配線を介して照明器具１００に電気的に接続され、商用電源４００と照明器具１００との導通及び非導通を切り替える。スイッチ部３００は、造営材に固定されるスイッチであり、例えば、屋内の壁に配置された壁スイッチである。
【００７８】
続いて、照明システム２の動作について、図６を参照しながら説明する。図６は、本実施の形態に係る照明システム２の動作を示すフローチャートである。
【００７９】
まず、照明器具１００は、電力供給を受けたか否かを判定する（Ｓ１００）。具体的には、通電検知部１２０ａは、制御部１２０が動作しているか否かで電力供給を受けたか否かを判定する。制御部１２０はスイッチ部３００により商用電源４００と照明器具１００とが導通され電力供給を受け付けると、各構成部を制御するため動作する。通電検知部１２０ａは、例えば、制御部１２０が動作したことをもって、電力供給されたことを検知する。
【００８０】
照明器具１００が電力供給を受けた場合（Ｓ１００でＹｅｓ）、制御部１２０は端末装置２００に送信する状態信号を生成する（Ｓ１０１）。照明器具１００に電力が供給されたことで、照明器具１００は点灯する。そのため、状態信号には、照明器具１００が点灯していることを示す情報が含まれる。なお、照明器具１００が電力供給を受けていない場合（Ｓ１００でＮｏ）、制御部１２０は電力供給を受けるまで待機している。
【００８１】
次に、制御部１２０は状態信号に含まれる送信先アドレスとして、記憶部１３０に記憶されている端末装置２００の識別情報を取得する（Ｓ１０２）。そして、制御部１２０は、取得した識別情報及び点灯していることを示す情報を含む状態信号を端末装置２００に通信部１５０を介して送信する（Ｓ１０３）。
【００８２】
端末装置２００は、照明器具１００から状態信号を受信すると、受信した状態信号に含まれる照明器具１００の点灯していることを示す情報を用いて端末装置２００が有する照明器具１００の点灯状態を更新する。具体的には、端末装置２００は、照明器具１００が点灯している状態であると更新する。これにより、端末装置２００はスイッチ部３００を介して照明器具１００の点灯が行われた場合でも、照明器具１００の点灯状態を逐次更新することができる。
【００８３】
従来であれば、商用電源から電力供給を受けた場合、照明器具から端末装置にはその情報は送信されていなかった。そのため、端末装置から照明器具を操作する場合、現在の照明器具の点灯状態を取得する必要があり、この作業が手間であった。一方、本実施の形態に係る照明器具１００は通電検知部１２０ａを有することで、電力が供給されたことを検知できるので、その情報を端末装置２００に送信することができる。つまり、端末装置２００は、照明器具１００から送信された信号に基づいて、照明器具１００の点灯状態を更新することができる。言い換えると、ユーザは、例えば、スイッチなどにより照明器具１００への電力供給を開始するだけで、端末装置２００に記憶されている照明器具１００の点灯状態を更新することができる。
【００８４】
以上のように、照明システム２が備える照明器具１００は、さらに、商用電源４００からの電力供給を受けたことを検知する通電検知部１２０ａを有し、通信部１５０は、通電検知部１２０ａが電力供給を受けたことを検知した場合に、電力供給を受けたことを示す信号（例えば、状態信号）を端末装置２００に送信する。
【００８５】
これにより、照明器具１００が商用電源４００からの電力供給を受けた場合、つまり照明器具１００が点灯する場合、照明器具１００は、照明器具１００の点灯状態を示す情報を含む信号（例えば、状態信号）を端末装置２００に送信する。端末装置２００は、当該信号に含まれる照明器具１００の点灯状態を示す情報から端末装置２００が記憶している照明器具１００の点灯状態を更新する。つまり、ユーザはスイッチ部３００を操作するなどにより照明器具１００に電力供給を開始するだけで、端末装置２００に記憶されている照明器具１００の点灯状態を更新することができる。よって、ユーザは端末装置２００を操作して照明器具１００の点灯状態を更新する手間が省けるので、端末装置２００を用いて照明器具１００を制御する場合の利便性が向上する。
【００８６】
本実施の形態に係る照明器具１００は、無線通信により端末装置２００から操作可能な照明器具１００であって、光源（光源部１４０）と、商用電源４００のから電力供給を受けたことを検知する通電検知部１２０ａと、通電検知部１２０ａが電力供給を受けたことを検知した場合に、電力供給を受けたことを示す信号を端末装置２００に送信する通信部１５０とを備える。
【００８７】
これにより、照明器具１００が商用電源４００からの電力供給を受けた場合（言い換えると、通電検知部１２０ａが電力供給を検知した場合）に、照明器具１００は、照明器具１００の点灯状態を示す情報を含む信号（例えば、状態信号）を端末装置２００に送信することができる。
【００８８】
（その他の実施の形態）
以上、本発明について実施の形態に基づいて説明したが、本発明は、上記実施の形態に限定されるものではない。
【００８９】
例えば、上記実施の形態では、照明器具は制御情報を他の照明器具に送信した後に光源部の点灯状態を制御する例について説明したが、これに限定されない。例えば、制御情報の送信と光源部の点灯状態の制御とが並行して実行されてもよい。
【００９０】
また、上記実施の形態において、特定の処理部が実行する処理を別の処理部が実行してもよい。また、複数の処理の順序が変更されてもよいし、複数の処理が並行して実行されてもよい。
【００９１】
以上、一つまたは複数の態様に係るリモコン、当該リモコンを備える照明システム及び照明器具について、実施の形態に基づいて説明したが、本発明は、上記実施の形態に限定されるものではない。本発明の主旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９２】
１、２    照明システム
１０    リモコン
１１    取得部
１２    制御部
１４    通信部
２０、１００    照明器具
２１、１５０    通信部
２３、１４０    光源部（光源）
３０、２００    端末装置
１２０ａ    通電検知部
４００    商用電源
Ｗ１    制御信号
【図１】
2018133210.tif 000003
【図２】
2018133210.tif 000004
【図３】
2018133210.tif 000005
【図４】
2018133210.tif 000006
【図５】
2018133210.tif 000007
【図６】
2018133210.tif 000008